(57)【要約】【課題】ＯＢＤコネクタその他のコネクタに取り付けても場所を取りにくく、しかも、コネクタを介した不正なアクセスを抑止するコネクタロック装置を提供する。【解決手段】コネクタロック装置３は、筐体部３０と、筐体部３０の対向面３２を貫通する一対のロックアーム４０と、各ロックアーム４０を揺動可能に筐体部３０内で支持する一対の支持軸３４とを備えている。また、コネクタロック装置３は、筐体部３０の表面に形成されたカギ可動孔３６内で回転可能に設置されたロック部５０を備えている。各ロックアーム４０は、挿入孔１５の内部で、挿入孔１５の開口の長手方向に沿って複数のリブ１７を設けることによって形成される複数の小孔１８のうち、両端に位置する小孔１８に挿入可能な長さに形成され、ロック部５０を施錠位置に回転すると、小孔１８の縁部に引っ掛かる引掛部４３を有する。【選択図】図３
2018120713.tif 000002
【特許請求の範囲】
【請求項１】
雄型コネクタが有する平板状の突起物を嵌挿可能な直方体形状の挿入孔が形成され、前記挿入孔のうち、前記挿入孔が開口する取付面側から見て奥側に、前記挿入孔の開口の長手方向に沿って間を開けて複数のリブを設けることにより前記挿入孔内に複数の小孔が形成された雌型コネクタに取り付けられ、前記雌型コネクタへの不正対象物の取り付けを抑止するコネクタロック装置であって、
前記雌型コネクタをロックするときに前記取付面に対向する対向面を有する筐体部と、
前記筐体部内から前記対向面を貫通して平行に延ばされ、また、前記取付面と前記対向面とが対向するときに前記挿入孔内に挿入可能に延ばされ、さらに、前記対向面が前記取付面に接触するように前記筐体部が前記雌型コネクタに対して配置されたとき、前記挿入孔に挿入した先にそれぞれ位置する前記各小孔に先端が通る長さに延ばされた一対のロックアームと、
前記各ロックアームをいずれも含む面上で前記各ロックアームが揺動するように、前記各ロックアームを揺動可能に前記筐体部内で支持する一対の支持軸と、
解錠操作すると前記各ロックアームを揺動可能とし、施錠操作すると前記各ロックアームを前記対向面に対して略垂直になるように固定するロック部と、
を備え、
前記各ロックアームは、
前記対向面が前記取付面に接触するように前記筐体部を前記雌型コネクタに対して配置したとき、前記ロック部が施錠操作されると、前記小孔を形成する縁部に引っ掛かる引掛部を有するコネクタロック装置。
【請求項２】
請求項１に記載のコネクタロック装置において、
前記ロック部は、
円盤形状に形成され、前記筐体部を構成する面のうち、前記対向面とは反対側の表面に形成されたカギ可動孔内で回転可能に設置され、当該コネクタロック装置に専用のキーが噛合する噛合溝が前記表面側から見える面に形成され、
解錠位置に回転すると一対の前記ロックアームを揺動可能とし、施錠位置に回転すると一対の前記ロックアームが前記対向面に対して略垂直になるように固定するコネクタロック装置。
【請求項３】
請求項２に記載のコネクタロック装置において、
前記ロック部は、
前記筐体部の内部側に突出した突起部を有し、
前記突起部は、
前記ロック部が施錠位置に位置するとき、前記各ロックアームを押して平行になる位置に位置させ、前記ロック部が解錠位置に位置するとき、前記ロックアームとの接触が解除されるコネクタロック装置。
【請求項４】
請求項２又は請求項３に記載されたコネクタロック装置において、
前記筐体部は、
表面側から対向面側に向かってアッパーケース、ミドルケース、ロアケースを積層した形状に形成され、
前記ロック部は、
外周に設けられた薄肉部を、前記アッパーケースと前記ミドルケースとの間に回転可能に挟むことにより、前記カギ可動孔内に回転可能に設置されるコネクタロック装置。
【請求項５】
請求項１〜４のいずれか１項に記載のコネクタロック装置において、
前記各ロックアームは、
後端側が前記筐体部内で曲げられてＬ字状に形成され、
前記筐体部内で曲げられた部分である前記各ロックアームの短辺の先端が付き合うように、前記支持軸を介して前記筐体部に揺動可能に取り付けられており、
操作すると、前記各ロックアームの前記各短辺を突き上げて、前記各ロックアームの先端が互いに近づく方向に移動させる操作部を備えるコネクタロック装置。
【請求項６】
請求項１〜５のいずれか１項に記載されたコネクタロック装置において、
前記各ロックアームは、前記引掛部が形成された先端側と、前記支持軸に揺動可能に取り付けられる後端側とでは、後端側が太く、先端側が細い形状に形成されているコネクタロック装置。
【発明の詳細な説明】
【技術分野】
【０００１】
本発明は、コネクタロック装置に関する。
【背景技術】
【０００２】
車両の各部に取り付けられたＥＣＵ（Electrical Controll Unit）には、自己診断機能用のプログラムがプログラミングされている。そして、このＥＣＵから自己診断結果を取り出すために用いられるＯＢＤコネクタ（雌型コネクタ）が、車両の室内空間側から接続可能な位置に設置されている。ＯＢＤは、On-Board Diagnosticsの略字である。
【０００３】
一方、このＯＢＤコネクタを利用したＥＣＵへの不正なアクセスを抑止するコネクタロック装置として、例えば、特許文献１に記載されたＯＢＤコネクタ保護カバーがある。
このＯＢＤコネクタ保護カバーは、ＯＢＤコネクタ全体を収容できる本体部と、この蓋部と本体部とを固定するロック機構と、を備えるものである。
【先行技術文献】
【特許文献】
【０００４】
【特許文献１】特許第５０８３９２４号公報
【発明の概要】
【発明が解決しようとする課題】
【０００５】
しかし、特許文献１に記載したＯＢＤコネクタ保護カバーは、本体部がＯＢＤコネクタ全体を収納する大きさに形成されているため、ＯＢＤコネクタに取り付けると、本体部が場所を取って邪魔になるという問題があった。また、ＯＢＤコネクタ保護カバーは、取り付けに時間を要する。
【０００６】
本発明は、ＯＢＤコネクタその他の雌型コネクタに取り付けても場所を取りにくく、しかも、雌型コネクタへの不正なアクセスを抑止するコネクタロック装置を提供することを目的とする。
【課題を解決するための手段】
【０００７】
請求項１に記載のコネクタロック装置は、雄型コネクタが有する平板状の突起物を嵌挿可能な直方体形状の挿入孔が形成され、前記挿入孔のうち、前記挿入孔が開口する取付面側から見て奥側に、前記挿入孔の開口の長手方向に沿って間を開けて複数のリブを設けることにより前記挿入孔内に複数の小孔が形成された雌型コネクタに取り付けられ、前記雌型コネクタへの不正対象物の取り付けを抑止するコネクタロック装置であって、前記雌型コネクタをロックするときに前記取付面に対向する対向面を有する筐体部と、前記筐体部内から前記対向面を貫通して平行に延ばされ、また、前記取付面と前記対向面とが対向するときに前記挿入孔内に挿入可能に延ばされ、さらに、前記対向面が前記取付面に接触するように前記筐体部が前記雌型コネクタに対して配置されたとき、前記挿入孔に挿入した先にそれぞれ位置する前記各小孔に先端が通る長さに延ばされた一対のロックアームと、前記各ロックアームをいずれも含む面上で前記各ロックアームが揺動するように、前記各ロックアームを揺動可能に前記筐体部内で支持する一対の支持軸と、解錠操作すると前記各ロックアームを揺動可能とし、施錠操作すると前記各ロックアームを前記対向面に対して略垂直になるように固定するロック部と、を備え、前記各ロックアームは、前記対向面が前記取付面に接触するように前記筐体部を前記雌型コネクタに対して配置したとき、前記ロック部が施錠操作されると、前記小孔を形成する縁部に引っ掛かる引掛部を有する。
【０００８】
本発明のコネクタロック装置を用いて雌型コネクタをロックする場合、最初に、各ロックアームを雌型コネクタの挿入孔に挿入しつつ、コネクタロック装置の筐体部の対向面を雌型コネクタの取付面と接触する位置まで近づける操作がなされる。
【０００９】
そして、雌型コネクタの取付面と筐体部の対向面とが接触すると、各ロックアームが対応する各小孔にそれぞれ挿入されるので、このときロック部を施錠位置に回転させる操作がなされる。
【００１０】
すると、各ロックアーム部が備える引掛部が小孔の縁部に引っ掛かり、本発明のコネクタロック装置は、雌型コネクタをロックする。このとき、本発明のコネクタロック装置は、雌型コネクタの取付面を覆って雌型コネクタをロックする。
【００１１】
したがって、本発明のコネクタロック装置は、雌型コネクタをロックすると雌型コネクタの取付面を覆って雌型コネクタをロックするので、例えば、不正な雄型コネクタを雌型コネクタに接続する、などの雌型コネクタへの不正なアクセスを抑止できる。
【００１２】
また、本発明のコネクタロック装置は、雌型コネクタをロックしたとき、各ロックアームが挿入孔内に挿入されてしまい、雌型コネクタに筐体部が積まれるだけになるので、雌型コネクタ全体を覆う場合に比べれば、場所を取らない。
【００１３】
したがって、本発明のコネクタロック装置は、雌型コネクタに取り付けても場所を取りにくい。
【図面の簡単な説明】
【００１４】
【図１】ＯＢＤコネクタの説明図で、（ａ）は平面図、（ｂ）は正面図、（ｃ）は底面図、（ｄ）は左側面図である。尚、（ｂ）及び（ｄ）では、挿入孔を透過図で示している。また（ｂ）ではリブ及び小孔も透過図で示している。
【図２】実施形態のコネクタロック装置をＯＢＤコネクタに接続する様子を説明するための説明図で、（ａ）は接続前の斜視図、（ｂ）は接続後の斜視図である。
【図３】実施形態のコネクタロック装置の説明図で、（ａ）は全体を示す斜視図、（ｂ）は平面図、（ｃ）は（ｂ）のＣ−Ｃ断面図であって揺動時の断面図、（ｄ）は（ｂ）のＣ−Ｃ断面図であって固定時の断面図、（ｅ）は筐体部のミドルケースの裏面側を示す斜視図である。
【図４】実施形態コネクタロック装置で雌型コネクタをロックした様子を説明するための説明図で、（ａ）は平面図、（ｂ）は（ａ）のＢ−Ｂ断面図であって揺動時の断面図、（ｃ）は底面図、（ｄ）は（ａ）のＢ−Ｂ断面図であって固定時の断面図、（ｅ）は底面図である。
【発明を実施するための形態】
【００１５】
本実施形態のコネクタロック装置を説明するのに先だって、本実施形態のコネクタロック装置でロックする対象となるＯＢＤコネクタについて、図１を参照しながら説明する。
ＯＢＤコネクタ１は、図１に示すように、雌型のコネクタであり、本体部１０は、全体に直方体形状に形成されている。ただし、本体部１０の下半分１１は直方体形状であるが、上半分１２は、図１（ａ）に示すように、平面視したときに台形状に形成されており、かつ、下半分１１の輪郭の内側に位置する大きさに形成されている。本体部１０は、平面視したとき、本体部１０の上半分１２が形成する台形の上底や下底の中央を通る線の左右で線対称な形状に形成されている。
【００１６】
また、ＯＢＤコネクタ１は、平面視したときに、厚み方向１３（上半分１２が形成する台形の上底及び下底に対して垂直な方向）の中央に、厚み方向１３に対して垂直な方向１４に沿って長尺形状に形成された挿入孔１５が開口している。
【００１７】
この挿入孔１５は、図１（ｂ）及び図１（ｄ）に示すように、雄型コネクタ備えるガイドである平板状の突起物を嵌挿可能な直方体形状の孔である。尚、この挿入孔１５は、本体部１０を貫通して、本体部１０の上下で開口しているが、本体部１０の上半分１２の部分で挿入孔１５が開口する面を、以下、取付面１６と呼ぶ。
【００１８】
この挿入孔１５は、取付面１６側から見て最も奥（本体部１０の上半分１２から下半分１１を見る方向側）に、挿入孔１５の開口の長手方向に沿って間を開けて複数のリブ１７が設けられている。そして、図１（ａ）〜図１（ｃ）に示すように、これらリブ１７が設けられることにより挿入孔１５内には複数の小孔１８が形成されている。これらリブ１７は、成型時の凹みを抑止しつつ、ＯＢＤコネクタの強度をもたせるために設けられている。
【００１９】
これらのリブ１７は、中央のリブ１７の左右にそれぞれ２つずつ設けられている。これらリブ１７が取付面１６側から見て最も奥に設けられているため、本体部１０の下半分１１側で開口する挿入孔１５の開口は、複数の小孔１８の開口が直線上に並んだ形状の開口となっている。
【００２０】
次に、本発明の例示的な本実施形態について説明する。
本実施形態のコネクタロック装置３は、このＯＢＤコネクタ１への不正対象物（不正な雄型コネクタ等）の取り付けを抑止する装置である。
【００２１】
このコネクタロック装置３は、図２（ａ）に示すように、主に、筐体部３０と、一対のロックアーム４０とを備えている。そして、コネクタロック装置３は、一対のロックアーム４０をＯＢＤコネクタ１の挿入孔１５に挿入して、図２（ｂ）に示すように、ＯＢＤコネクタ１の取付面１６上に筐体部３０が重ねられて、ＯＢＤコネクタ１をロックする。
【００２２】
以下、コネクタロック装置３、及び、コネクタロック装置３のＯＢＤコネクタ１への取り付けについて、図３及び図４を用いて説明する。
コネクタロック装置３が備える筐体部３０は、図３に示すように、ＯＢＤコネクタ１の上半分１２の本体部１０よりもやや大きく相似な直方体形状に形成され、上下の面が台形状に形成されている。筐体部３０は、コネクタロック装置３をＯＢＤコネクタ１に取り付けるとき、台形状に形成された面のうち下方側の面が取付面１６に対向するように取り付けられる。尚、コネクタロック装置３をＯＢＤコネクタ１に取り付けるとき取付面１６に対向する筐体部３０の面を対向面３２と以下呼び、筐体部３０を形成する面のうち、対向面３２とは反対側の面を表面３５と呼ぶ。
【００２３】
筐体部３０は、表面３５側から対向面３２側に向かってアッパーケース３７、ミドルケース３８、ロアケース３９を積層した形状に形成されている。このうち、アッパーケース３７及びミドルケース３８は、平板状に形成され、ロアケース３９よりも薄い形状に形成されている。
【００２４】
一対のロックアーム４０は、Ｌ字状に形成されており、次のように配置されている。具体的には、各ロックアーム４０は、まっすぐな棒状に形成された長辺部分４１に対して、長辺部分４１の筐体部３０内の端部が筐体部３０内で垂直に曲がって短辺部分４２を形成することによりＬ字状に形成されている。
【００２５】
各ロックアーム４０の長辺部分４１は、筐体部３０の対向面３２の厚み方向４９（対向面３２が形成する台形の上底及び下底の中央を通る方向）の中央を通り、厚み方向に垂直な線上であって、対向面３２の上底や下底の中央を結ぶ線から等距離の左右対称な位置で対向面３２を貫通して、対向面３２に対して垂直に平行に延ばされている。
【００２６】
また、各ロックアーム４０の長辺部分４１は、取付面１６と対向面３２とが対向するときに挿入孔１５内に挿入可能に延ばされている（図４（ｂ）、図４（ｄ）参照）。
さらに、各ロックアーム４０の長辺部分４１は、対向面３２が取付面１６に接触するように、筐体部３０がＯＢＤコネクタ１に対して配置されたときに、挿入孔１５に挿入した先にそれぞれ位置する各小孔１８であって両端に位置する各小孔１８に先端が通る長さに延ばされている。
【００２７】
そして、各ロックアーム４０の長辺部分４１の先端には、小孔１８を形成する縁部に引っ掛かる引掛部４３が形成されている。これら引掛部４３は、対になるロックアーム４０とは反対側を向くように、長辺部分４１の先端から突設されている。
【００２８】
さらに、これらロックアーム４０の長辺部分４１は、引掛部４３が形成された先端側と、支持軸に揺動可能に取り付けられる後端側とでは、後端側が太く、先端側が細い形状に形成されている。
【００２９】
これらロックアーム４０は、短辺部分４２の先端が筐体部３０内で互いに付き合うように配置される。
また、これらロックアーム４０は、長辺部分４１が、筐体部３０内に設けられた各支持軸３４によって、揺動可能に固定されている。
【００３０】
これら支持軸３４は、各ロックアーム４０をいずれも含む面上で各ロックアーム４０が揺動するように、各ロックアーム４０を揺動可能に支持する。
筐体部３０は、ロック部５０を備えている。
【００３１】
ロック部５０は、円盤形状に形成されており、表面３５に形成されたカギ可動孔３６内に回転可能に設置されている。ロック部５０には、図３（ｃ）及び図３（ｄ）に示すように、外周に薄肉部５１が設けられており、この薄肉部５１を、アッパーケース３７に設けた窪部３７ａとミドルケース３８との間に回転可能に挟むことにより、カギ可動孔３６内に回転可能に設置される。
【００３２】
ロック部５０は、図３（ａ）に示すように、表面３５側から見える面に、コネクタロック装置３に専用のキーが噛合する噛合溝５２が形成されている。
ロック部５０の裏面側（筐体部３０内側）には、図３（ｅ）に示すように、中心軸を通る一本の溝部５４と、その溝部５４の両脇に筐体部３０の内部側に突出した三角形状に形成された突起部５６が形成されている。
【００３３】
ロック部５０は、各ロックアーム４０の短辺部分４２が筐体部３０内で垂直に曲がって付き合わされた部分の直上に配置されている。
このロック部５０を解錠位置に回転すると、図３（ｃ）に示すように、各ロックアーム４０の短辺部分４２が付き合わされた部分が溝部５４にはまり、各ロックアーム４０は、各支持軸３４を支点に揺動する。
【００３４】
このときコネクタロック装置３がＯＢＤコネクタ１に取り付けられていたとすると、各ロックアーム４０は揺動し、図４（ｄ）及び図４（ｅ）に示すように、小孔１８を形成する縁部から外すことができる。
【００３５】
一方、このロック部５０を施錠位置に回転すると、図３（ｄ）に示すように、各突起部５６が、各ロックアーム４０の短辺部分４２を押して、各ロックアーム４０は、長辺部分４１がそれぞれ平行になり、対向面３２に対して垂直になるように固定される。
【００３６】
このときコネクタロック装置３がＯＢＤコネクタ１に取り付けられていたとすると、各ロックアーム４０は固定され、図４（ｂ）及び図４（ｃ）に示すように、小孔１８を形成する縁部に、ロックアーム４０の引掛部４３が引っ掛かる。
【００３７】
筐体部３０は他に、図３（ａ）に示すように、ロック解除用の操作部６０を備えている。
この操作部６０は、筐体部３０の正面側の側面から突出したレバー部６２を備えている。また、筐体部３０の内部には、図３（ｃ）及び図３（ｄ）に示すように、レバー部６２を上下に操作すると上下する持上部６４が備えられている。この持上部６４はレバー部６２が操作されると、各ロックアーム４０の各短辺部分４２を突き上げて、各ロックアーム４０の各長辺部分４１の先端が互いに近づく方向に移動させる。これによって、小孔１８を形成する縁部に引っ掛かっていた引掛部４３と、小孔１８の縁部との掛合を説くことができる。
【００３８】
以上のように構成されたコネクタロック装置３でＯＢＤコネクタ１をロックする場合、次のように操作して取り付ける。
まず、専用のキーでロック部５０を操作して、ロック部５０を解錠位置に位置させ、各ロックアーム４０を揺動可能な状態とする。
【００３９】
そして、各ロックアーム４０の長辺部分４１を挿入孔１５に入れ、各ロックアーム４０の長辺部分４１の先端が両端の小孔１８に入るようにして筐体部３０をＯＢＤコネクタ１に近づける。このとき各ロックアーム４０の長辺部分４１の先端に設けられた引掛部４３を通すため、各ロックアーム４０は互いに近づく方向に移動している。
【００４０】
筐体部３０がＯＢＤコネクタ１に接触したら、専用のキーでロック部５０を操作して、ロック部５０を施錠位置に位置させる。すると各ロックアーム４０の長辺部分４１が左右に広がって対向面３２に対して垂直な状態となって固定され、各ロックアーム４０の引掛部４３が各小孔１８縁部に引っ掛かって、コネクタロック装置３がＯＢＤコネクタ１をロックする。
【００４１】
一方、コネクタロック装置３でロックされたＯＢＤコネクタ１のロックを解除する場合は、次のように操作して外す。
まず、専用のロックキーでロック部５０を操作して、ロック部５０を解錠位置に位置させる。このとき、本実施形態のコネクタロック装置３でＯＢＤコネクタ１をロックすると、各ロックアーム４０の長辺部分４１の先端が各小孔１８に引っ掛かってはずれない場合がある。この場合、次にレバー部６２を操作する。すると、各ロックアーム４０の引掛部４３が各小孔１８の縁部からはずれて内側に倒されるので、各ロックアーム４０が各小孔１８から抜ける。
【００４２】
その後、各ロックアーム４０の長辺部分４１が挿入孔１５から抜けるようにコネクタロック装置３をＯＢＤコネクタ１から外せば、コネクタロック装置３によるＯＢＤコネクタ１のロックが解除される。
【００４３】
以上説明したコネクタロック装置３は、以下に示すような特徴的な作用効果を有する。
本実施形態のコネクタロック装置３は、ＯＢＤコネクタ１をロックするとＯＢＤコネクタ１の取付面１６を覆ってＯＢＤコネクタ１をロックするので、例えば、不正な雄型コネクタをＯＢＤコネクタ１に接続する、などのＯＢＤコネクタ１への不正なアクセスを抑止できる。
【００４４】
また、本実施形態のコネクタロック装置３は、ＯＢＤコネクタ１をロックしたとき、各ロックアーム４０が挿入孔１５内に挿入されてしまい、ＯＢＤコネクタ１に筐体部３０が積まれるだけになるので、ＯＢＤコネクタ１全体を覆う場合に比べれば、場所を取らない。
【００４５】
したがって、本実施形態のコネクタロック装置３は、ＯＢＤコネクタ１に取り付けても場所を取りにくい。
本実施形態のコネクタロック装置３は、専用のキーでしか施錠解錠ができないので、ＯＢＤコネクタ１を一度ロックすると、簡単にロックを解除することができない。
【００４６】
本実施形態のコネクタロック装置３のロック部５０は、筐体部３０の内部側に突出した突起部５６を有し、突起部５６は、ロック部５０が施錠位置に位置するとき、各ロックアーム４０を押して平行になる位置に位置し、ロック部５０が解錠位置に位置するとき、各ロックアーム４０との接触が解除される位置に位置するという非常に簡単な構造である。そのため、本実施形態のコネクタロック装置３は、非常に簡単に組み立てることができる。
【００４７】
本実施形態のコネクタロック装置３では、レバー部６２が操作されると、各ロックアーム４０の短辺部分４２を突き上げて、各ロックアーム４０の長辺部分４１の先端が互いに近づく方向に移動し、引掛部４３が小孔１８の縁部に引っ掛かっていても外れる。そのため、本実施形態のコネクタロック装置３は、この操作部６０を操作すれば、解錠する際に、各ロックアーム４０が各小孔１８に引っ掛かっていても、ＯＢＤコネクタ１から簡単に外すことができる。
【００４８】
各ロックアーム４０は、引掛部が形成された先端側と、支持軸に揺動可能に取り付けられる後端側とでは、後端側が太く、先端側が細い形状に形成されている。そのため、筐体部３０がハンマー等で殴られても、後端側が太いので、各ロックアーム４０は折れにくい。また、各ロックアーム４０の先端は細いので、その先端を小孔１８にスムーズに挿入できる。
【００４９】
本実施形態のコネクタロック装置３は、筐体部３０が、アッパーケース３７、ミドルケース３８、ロアケース３９を積層した形状に形成され、ロック部５０が、外周に設けられた薄肉部５１を、アッパーケース３７とミドルケース３８との間に回転可能に挟むことにより、カギ可動孔内に回転可能に設置されている。そのため、アッパーケース３７とミドルケース３８との間にロック部５０の薄肉部５１を挟むだけでロック部５０を回転可能に設置できるので、組み立てが簡単である。
［他の実施形態］
以上、実施形態について説明したが、特許請求の範囲に記載された発明は、上記実施形態に限定されることなく、種々の形態を採り得ることは言うまでもない。
【００５０】
（１）上記実施形態では、筐体部３０を合成樹脂で形成した例について説明したが、例えばミドルケース３８を鉄で形成してもよい。
（２）上記実施形態では、各ロックアーム４０が両端の小孔１８に挿入される例を説明したが、各ロックアーム４０は、両端の小孔１８以外の小孔１８に挿入されるように筐体部３０に対して取り付けられていてもよい。
【００５１】
（３）上記実施形態では、複数のリブ１７を挿入孔１５内の取付面１６側から見て最も奥に形成したが、雄型コネクタのガイドが挿入可能であれば、その範囲で、挿入孔１５内の最も奥よりも取付面１６側に設けてもよい。
【符号の説明】
【００５２】
１…コネクタ、３…コネクタロック装置、１０…本体部、１５…挿入孔、１６…取付面、
１７…リブ、１８…小孔、３０…筐体部、３２…対向面、３４…支持軸、３５…表面、
３６…カギ可動孔、３７…アッパーケース、３７ａ…窪部、３８…ミドルケース、
３９…ロアケース、４０…ロックアーム、４３…引掛部、５０…ロック部、５１…薄肉部、
５２…噛合溝、５４…溝部、５６…突起部、６０…操作部、６２…レバー部、
６４…持上部。
【図１】
2018120713.tif 000003
【図２】
2018120713.tif 000004
【図３】
2018120713.tif 000005
【図４】
2018120713.tif 000006